(57)【特許請求の範囲】
【請求項１】
宛先回路に分配するための第１の同期信号を発生する送信元回路を備えたデジタル・システムにおいて、前記第１の同期信号に起因する、導電性信号経路に沿った１組の検出可能なＥＭＩ放出を低減するための装置であって、
前記送信元回路において発生され、第１の周波数（ｆ1）と該第１の周波数の１組の高調波（ｆ2、ｆ3）とを備える第１の信号周波数スペクトルを有する第１の同期信号と、
前記第１の周波数以下の１組の一次周波数（ｆ4〜ｆ5）を含みかつ第１の帯域幅（ＢＷ45）を画定する第１の包絡線周波数スペクトルを有する第１の包絡線信号と、
前記第１の同期信号と前記第１の包絡線信号とを受信し、前記第１の同期信号と前記第１の包絡線信号とに振幅変調を施して、前記第１の周波数と該第１の周波数の前記１組の高調波とに関する両側波帯を有する両側波帯抑圧搬送波信号を発生する、前記送信元回路内の変調回路と、
前記送信元回路から前記宛先回路に前記両側波帯抑圧搬送波信号を送る、前記デジタル・システム内の第１の導電性信号経路と、
前記第１の包絡線周波数スペクトルに等しくかつ前記第１の帯域幅と等しい第２の帯域幅を画定する第２の包絡線周波数スペクトルを有する第２の包絡線信号と、
前記第１の導電性信号経路を介して前記両側波帯抑圧搬送波信号を受信するとともに、前記第２の包絡線信号を受信し、該両側波帯抑圧搬送波信号を前記第２の包絡線信号で振幅復調して、前記宛先回路によって用いられる前記第１の同期信号を再生する、前記宛先回路内の復調回路と、を備えて成り、
前記第１の同期信号に起因する1組の検出可能なＥＭＩ放出が、前記送信元回路から前記宛先回路に前記第１の同期信号を送らず、代わりに、前記検出可能な1組のＥＭＩ放出を低減するのに十分な広さの前記第１の帯域幅にわたってエネルギが拡散された、両側波帯抑圧搬送波信号を送ることによって低減されることを特徴とする装置。
【請求項２】
デジタル・システムにおいて1組の検出可能なＥＭＩ放出を低減するための方法であって、
送信元において、第１の周波数（ｆ1）と該第１の周波数の1組の高調波（ｆ2、ｆ3）とを備えた第１の信号周波数スペクトルを有する第１の同期信号を、前記第１の周波数以下の1組の一次周波数（ｆ4〜ｆ5）を含みかつ第１の帯域幅（ＢＷ45）を画定する第１の包絡線周波数スペクトルを有する第１の包絡線信号によって振幅変調して、両側波帯抑圧搬送波信号を得るステップと、
第１のチップ外信号経路を介して、前記送信元から宛先に前記両側波帯抑圧搬送波信号を送るステップと、
前記宛先において、前記第１の包絡線周波数スペクトルに等しくかつ前記第１の帯域幅と等しい第2の帯域幅を画定する第２の包絡線周波数スペクトルを有する第２の包絡線信号を用いて、前記両側波帯抑圧搬送波信号を振幅復調し、前記第１の同期信号を再生するステップと、を含んで成り、
前記第１の同期信号に起因する前記１組の検出可能なＥＭＩ放出が、前記送信元から前記宛先に前記第１の同期信号を送らず、代わりに、前記1組の検出可能なＥＭＩ放出を低減するのに十分な広さの第１の帯域幅にわたってエネルギが拡散された、前記両側波帯抑圧搬送波信号を送ることによって低減されることを特徴とする方法。
【発明の詳細な説明】
【０００１】
【産業上の利用分野】
本発明は、一般に、デジタル・システムにおいて、ＰＣボードのトレースからの電磁妨害雑音の放出を低減するための方法及び装置に関するものであり、とりわけ、コンピュータまたは他のデジタル・クロック・システムに関するクロック及び他の同期信号トレースからのＥＭＩ放出を低減するための方法及び装置に関するものである。
【０００２】
【従来の技術】
電磁妨害雑音は、直接または間接に、電子受信器または他の電子システムの性能劣化の一因となる、電子装置から放出される電磁エネルギである。例えば、シールドが不十分な電子装置からＥＭＩが放出されると、ラジオ及びテレビジョン信号が劣化し、こうした信号を捕捉する受信器に可聴または可視空電が生じることになる。政府は、一般に、無線波スペクトル及び他の電磁波スペクトルの公共利用を強化するため、ＥＭＩ放出を規制している。例えば、米国の場合、Ｆ．Ｃ．Ｃ．は、装置の試験を要求し、その放出に基づいて装置の等級分けを行っている。米国のＦ．Ｃ．Ｃ．Ａｇｅｎｃｙは、ＥＭＩ放出に１２０キロヘルツ（「ｋＨｚ」）にわたる等級分けを施している。１２０ｋＨｚの帯域幅は、ＦＭ受信器のような一般的な通信受信器の典型的な帯域幅に対応する。こうした帯域幅内においてＥＭＩ放出が低減すると、別様であれば、聴取者または視聴者が、例えば、空電またはホワイト・ノイズとして感知する妨害出力が減少する。
【０００３】
電子機器メーカが施す典型的な予防措置は、電子装置にシールドを施して、ＥＭＩ放出を最小限に抑えることである。例えば、コンピュータ・メーカは、一般に、ＥＭＩ放出を最小限に抑えるために、シールドされたケーブル及びシールドされたハウジングを利用する。
【０００４】
【発明が解決しようとする課題】
本発明の目的は、臨界帯域幅（例えば、１２０ｋＨｚ）内における検出可能なＥＭＩ放出を低減するためのデジタル方法及び装置を提供することにある。
【０００５】
【課題を解決するための手段】
本発明によれば、クロックまたは他の同期信号が、送信元において振幅変調される。被変調信号は、両側波帯抑圧搬送波（ＤＳＢ−ＳＣ）信号であり、ＰＣボードのトレースを介して宛先に送られ、復調される。変調によって、問題となる帯域幅（例えば、１２０ｋＨｚ）にわたるＥＭＩ放出が低減するように、クロック信号のエネルギが、拡大されたスペクトルにわたって拡散される。
【０００６】
本発明の態様の１つによれば、振幅変調プロセスにおける搬送波信号は、クロックまたは同期信号である。コンピュータ・システムの場合、こうした信号は、一般に、１メガヘルツ（「ＭＨｚ」）以上の高周波数を備えている。振幅変調プロセスに関する包絡線信号は、低周波数の広帯域信号である。包絡線信号は、周波数が変動する広帯域の矩形波信号であることが望ましい。広帯域信号の一次周波数成分（すなわち、基本周波数）は、クロックまたは他の同期信号の周波数の１／２までの範囲内において生じることが望ましい。クロック信号の周波数までの一次周波数を利用することも可能である。
【０００７】
本発明のもう１つの態様によれば、被変調ＤＳＢ−ＳＣ信号及び包絡線信号は、ＰＣボード・トレースを介して送信元から宛先へ送られる。宛先において、２つの信号を利用して、クロックまたは他の同期信号の取り出しを行う復調プロセスが実施される。
【０００８】
本発明のもう１つの態様によれば、包絡線信号は、擬似ランダム・コード発生器を利用して発生する。キー・コードまたはシードが、擬似ランダム・コード発生器に入力されると、包絡線信号が導き出される。実施例の１つでは、送信元及び宛先に、それぞれ、擬似ランダム・コード発生器が含まれている。キーは、送信元擬似ランダム・コード発生器及び宛先擬似ランダム・コード発生器の両方にとって、あらかじめ定義されているか、既知のものであり、送信元擬似ランダム・コード発生器及び宛先擬似ランダム・コード発生器の両方に送られるか、あるいは、送信元擬似ランダム・コード発生器及び宛先擬似ランダム・コード発生器の一方からもう一方に送られる。こうした実施例の場合、包絡線信号は、送信元から宛先へ送る必要はなく、代わりに、送信元及び宛先のそれぞれにおいて別個に発生することが可能である。
【０００９】
望ましい実施例によれば、デジタル・システムのチップ外信号経路における同期信号に起因すると考えられるＥＭＩ放出（例えば、こうしたチップ外信号経路またはこうした信号経路に結合された他の信号経路から直接放出されるＥＭＩ）を低減するための方法及び装置が得られる。デジタル信号には、宛先回路に分配するための第１の同期信号を発生する送信元回路が含まれている。第１の同期信号は、送信元回路において生じ、第１の周波数と第１の周波数の高調波を含む第１の信号周波数スペクトルを備えている。第１の包絡線信号が存在し、第１の周波数以下の周波数を含む第１の包絡線周波数スペクトルを備えている。第１の包絡線信号は、第１の帯域幅を形成する。送信元回路内の変調回路は、第１の同期信号及び第１の包絡線信号を受信する。第１の同期信号を包絡線信号によって振幅変調すると、両側波帯抑圧搬送波信号が発生する。両側波帯抑圧搬送波は、第１の信号経路によって、送信元集積回路チップから宛先集積回路チップに送られる。第１の包絡線周波数スペクトルに等しい、第１の帯域幅を形成する第２の包絡線周波数スペクトルを備えた第２の包絡線信号が、宛先回路において生じる。宛先回路内の復調回路が、第１の信号経路を介して両側波帯抑圧搬送波を受信し、第２の包絡線信号を受信する。復調回路は、第２の包絡線信号を利用して、両側波帯抑圧搬送波の振幅復調を行い、第１の同期信号を再生する。第１の同期信号に起因すると考えられる検出可能なＥＭＩ放出は、送信元集積回路から宛先集積回路に第１の同期信号を送らず、代わりに、両側波帯抑圧搬送波を送ることによって低減する。両側波帯抑圧搬送波は、エネルギが、第１の帯域幅にわたって各側波帯に拡散される。第１の帯域幅は、検出可能なＥＭＩ放出を低減するのに十分なほどに広い。
【００１０】
ＤＳＢ−ＳＣ信号の左側波帯の下方エッジからＤＳＢ−ＳＣ信号の右側波帯の上方エッジまでの範囲は、少なくとも１２０ｋＨｚに及ぶ。隣接側波帯の場合、これは、０〜６０ｋＨｚのスペクトルを備えた包絡線信号を用いて実現される。非隣接側波帯の場合、これは、（ｉ）６０ｋＨｚを超える周波数から始まるスペクトルを備えるか、（ii）６０ｋＨｚを超える帯域幅を備えるか、（iii）あるいは、２×ｆ4＋２ＢＷ45＞１２０ｋＨｚの関係を満たす（ここで、ｆ4は、包絡線信号スペクトルの最低周波数であり、ＢＷ45は、包絡線信号の帯域幅である）包絡線信号を利用することによって実現される。包絡線周波数スペクトルの周波数上限は、第１の周波数の１／２以下が望ましいが、代わりに、該上限を第１の周波数と同じ高さにすることも可能である。
【００１１】
実施例によっては、送信元回路と宛先回路を電気的に結合する第２の信号経路が含まれているものもある。第１の包絡線信号が、第２の信号経路を介して、送信元回路から宛先回路に送られる。こうした場合、第２の包絡線信号は、受信された第１の包絡線信号である。
【００１２】
実施例によっては、送信元回路に、第１の包絡線信号を発生するための第１の包絡線信号発生器が含まれているものもある。宛先回路には、第２の包絡線信号を発生するための第２の包絡線信号発生器が含まれている。第１の包絡線信号発生器は、第１の包絡線信号が導き出される定義済みのキーを受信する。また、第２の包絡線信号発生器は、第２の包絡線信号が導き出される定義済みのキーを受信する。実施例によっては、定義済みのキーが、周期的または非周期的に変更されるものもある。
【００１３】
本発明の利点は、ＰＣボード・トレースに沿って送信元から宛先に送られる信号のエネルギが被変調信号の側波帯全域に拡散されるということにある。この結果、ＰＣボード・トレースからのＥＭＩ放出が低減する。ＰＣボード・トレースに起因すると考えられるＥＭＩ放出も低減する。例えば、ＰＣボード・トレースに対する電磁結合にさらされる信号経路を備えたシステム、回路、または、トレースに対し、ＰＣボード・トレースに流れる同期信号に起因すると考えられるＥＭＩが低減される。定義済みのキーを利用して、被変調信号に関する包絡線信号を発生する利点は、復調信号と包絡線信号の両方の代わりに、送信元から宛先に被変調信号だけしか送る必要がないということである。本発明の以上の及びその他の態様及び利点については、添付の図面に関連して示される以下の詳細な説明を参照することによってより深い理解が得られるであろう。
【００１４】
【実施例】
図１には、本発明の実施例による両側波帯抑圧搬送波（ＤＳＢ−ＳＣ）信号１４を介して、クロックまたは他の同期信号１２を分配するための装置１０が示されている。実施例の１つでは、クロック信号１２は、送信元回路１６から宛先回路１８の演算回路１７に送られる。装置１０は、ＰＣボード・トレース及び／または他のチップ外またはボード外導電性信号経路１５によって、送信元１６と宛先１８が電気的に結合される、コンピュータまたは他のデジタル・システムの一部である。例えば、ＰＣボード・トレースは、金属または他の導電性材料のストリップとして形成される。信号がトレースによって送られる場合、アンテナと同様、ストリップからまわりの環境に放射エネルギが放出される。電磁エネルギは、近傍トレースに結合し、他の回路及びシステムに伝搬して、ＥＭＩを生じる可能性もある。放射エネルギは、部分的に、送られる信号のエネルギ及び周波数によって決まる。従来のコンピュータの場合、送られる信号には、一般に、クロック及び他の同期信号１２が含まれる。一般に、クロックまたは他の同期信号１２は、高周波を備えている。エネルギは、こうした周波数（すなわち、一次または基本周波数）と、こうした周波数の高調波において放射される。こうしたエネルギは、環境内における他の電磁波に対する妨害を生じるので、電磁妨害雑音とも呼ばれる。特に問題となるのは、ラジオ及びテレビジョン周波数スペクトル内における信号である。ラジオ及びテレビジョン信号に対する妨害は、空電またはホワイト・ノイズとして感知される。従って、一般的な電子ラジオ及びテレビジョン受信器の１２０ｋＨｚの帯域幅内において生じるＥＭＩ放出は、望ましくない。従って、１２０ｋＨｚの帯域幅または問題となる別のＥＭＩ臨界周波数帯域幅を超える周波数帯域に、クロック信号及び他の同期信号１２のエネルギを拡散することが、本発明の目的である。図２には、クロック信号１２にとって典型的な周波数スペクトル２６が示されている。スペクトル２６には、一次周波数ｆ1(クロック信号周波数）及び一次周波数の倍数の高調波ｆ2、ｆ3が含まれている。
【００１５】
広いスペクトルにわたってクロック信号１２のエネルギを拡散するために、クロック信号１２は、包絡線信号２０によって振幅変調される。包絡線信号２０は、クロック信号の一次周波数ｆ1以下の一次周波数を含む周波数スペクトルを備えた広帯域信号である。包絡線信号の一次周波数は、クロック信号の一次周波数の１／２以下であることが望ましい。図３には、広帯域でレクティリニア波の包絡線信号２０に関して典型的な周波数スペクトル３４が示されている。包絡線信号の周波数スペクトル３４は、第１の周波数ｆ4から第２の周波数ｆ5にわたり、帯域幅ＢＷ45を形成している。
【００１６】
変調回路２２は、クロック信号または他の同期信号１２を包絡線信号２０によって振幅変調するために用いられる。実施例の１つでは、変調回路２２には、排他的「ＯＲ」ゲート２４が含まれている。変調回路２２からの被変調信号１４の出力は、両側波帯抑圧搬送波である。図４には、図２のクロック信号１２と図３の包絡線信号２０から導き出される被変調信号１４の典型的な周波数スペクトル３６が示されている。振幅変調を利用することによって、被変調信号１４が、両側波帯抑圧搬送波になる点に留意されたい。図２と図４を比較すると明らかなように、一次周波数ｆ1のエネルギは２つの側波帯４０、４２に拡散されている。同様に、第１の高調波ｆ2のエネルギは、２つの側波帯４４、４６に拡散され、他の高調波（例えば、ｆ3)のエネルギは、それぞれの両側波帯（例えば、４８、５０）に拡散される。各側波帯４０〜５０の帯域幅が包絡線信号２０の帯域幅ＢＷ45に等しい点に留意されたい（図３参照）。従って、広帯域幅の包絡線周波数スペクトルを利用することによって、クロック信号のエネルギは、問題となる１２０ｋＨｚの帯域幅（または、問題となる別のＥＭＩ臨界帯域幅）を超えて拡散される。
【００１７】
１２０ｋＨｚを超える拡散を実現するため、包絡線信号周波数スペクトルを決める一次周波数は、下記の式（I）に従う：
２×ｆ4＋２ＢＷ45＞Ｆcritical    （I）
ここで、ｆ4は、包絡線信号スペクトルの最低周波数であり、
ＢＷ45は、包絡線信号帯域幅であり、
Ｆcriticalは、問題となる１２０ｋＨｚまたは別のＥＭＩ臨界周波数である。
式（I）は、下記の式（II）と同等である：
ｆ5＞（Ｆcritical／２）         （II）
ここで、ｆ5は、包絡線信号スペクトルの最高周波数であり、
Ｆcritical＝１２０ｋＨｚの場合、ＤＳＢ−ＳＣ信号の左側波帯４０の低いほうの周波数からＤＳＢ−ＳＣ信号の右側波帯４２の高いほうの周波数までの範囲は、少なくとも１２０ｋＨｚにわたる。ｆ1を中心として連続した１つの帯域を形成する隣接側波帯４０、４２の場合、これは、ｆ4＝０〜ｆ5＞６０ｋＨｚにわたるスペクトル３４を備えた包絡線信号を利用することによって得られる。非隣接側波帯の場合、解決策の１つは、ｆ4＞６０ｋＨｚから始まるスペクトルを備えた包絡線信号を利用することである。もう１つの解決策は、帯域幅ＢＷ45＞６０ｋＨｚとすることである。もう１つの解決策は、ｆ5＞６０ｋＨｚとすることである。他の実施例の場合、式（I）に対する他の解が利用される。包絡線周波数スペクトル３４の上限周波数ｆ5は、第１の周波数より低いことが望ましい。最良の実施態様に関する包絡線周波数スペクトル３４には、クロック信号周波数ｆ1より低い周波数が含まれている。式（I）または（II）を満たす包絡線信号周波数スペクトル３４を利用することによって、一次周波数ｆ1及び個々の高調波ｆ2、ｆ3に関する検出可能なＥＭＩの放出が大幅に減少する（例えば、ｆ1±Ｆcritical／２、ｆ2±Ｆcritical／２、ｆ3±Ｆcritical／２の範囲内における周波数のエネルギ低下）。
【００１８】
もう１度図１を参照すると、図４の周波数スペクトル３６を示す被変調信号１４が、導電性経路１５を介して、送信元１６から宛先１８に送られる。従って、ＰＣボード・トレース及び他の放射エネルギ放出信号経路によって送られる信号のエネルギは、広帯域幅にわたって大幅に拡散される。結果として、ＥＭＩ放出のかなりの部分は、一般的な受信装置によって濾波される（例えば、ｆ1±６０ｋＨｚ、ｆ2±６０ｋＨｚ、ｆ3±６０ｋＨｚの範囲外の周波数は、濾波される）。さらに、一般的な受信装置によって捕捉される、濾波を受けないＥＭＩの放出は、エネルギ・レベルが大幅に低下する。宛先１８において、被変調信号１４が復調され、出力クロックまたは他の同期信号６０として、クロックまたは他の同期信号１２の取り出しが行われる。復調回路６２は、被変調信号１４の振幅復調を行うために利用される。実施例の１つでは、復調回路６２に、排他的「ＯＲ」ゲート６４が含まれている。送信元１６において変調器２２に入力されるクロック信号１２の振幅及び周波数は、宛先１８において復調器６２から出力されるクロック信号６０の振幅及び周波数と同じである。また、クロック信号１２とクロック信号６０の位相関係は、一定である。
【００１９】
復調操作を実施するため、復調器６２は、被変調信号１４及び包絡線信号２０'を受信する。宛先１８で用いられる包絡線信号２０'は、送信元１６で用いられる包絡線信号２０と同じ振幅及び周波数パターンを備えている。包絡線信号２０'及び被変調信号１４は、復調回路６２において、あるいは、復調回路６２に入力される前に、位相アライメントがとられることが望ましい。図５には、包絡線信号２０が、ＰＣボード・トレース及び／または他のチップ外またはボード外導電性信号経路１５によって、送信元１６から宛先１８に送られる実施例が示されている。代替案として、同じ包絡線信号２０が送信元１６と宛先１８の両方に供給される。
【００２０】
もう１つの実施例の場合、包絡線信号２０、２０'が、送信元１６と宛先１８において別個に導き出される。正確で、入力クロック信号１２と出力クロック信号６０にほぼ同じ信号パターンを生じる復調プロセスの場合、送信元１６及び宛先１８における包絡線信号２０及び２０'の信号パターンは、同じになるはずである。図６には、包絡線信号発生回路７０が送信元１６と宛先１８の両方に配置されている、クロックまたは他の同期信号１２を分配するための装置の実施例が示されている。実施例の１つでは、包絡線信号発生器７０は、キーまたは他のシード７２に応答する擬似ランダム・コード発生器である。送信元の包絡線信号発生器７０及び宛先の包絡線信号発生器７０に同じキー７２を入力することによって、送信元１６及び宛先１８に、同じ包絡線信号２０、２０'が生じる。個々の実施例に応じて、キー７２は、送信元と宛先の両方において、あらかじめ定義して、記憶されているか、送信元１６と宛先１８の両方の包絡線信号発生器７０に送られるか、あるいは、送信元及び宛先包絡線信号発生器７０の一方からもう一方に送られることになる。キーが周期的または非周期的に変更されて、送信元及び宛先包絡線信号発生器７０の一方または両方に送られる実施例の場合、キー変更の時間周期は、結果生じる包絡線信号２０の時間周期より長いことが望ましい。
【００２１】
図７を参照すると、変調回路２２'の実施例の１つに関する略ブロック図が示されている。変調回路２２'には、周波数２倍器７８、１組のＤフリップ・フロップ８０、８２、８４、８６、インバータ８８、及び、排他的ＯＲゲート２４が含まれている。周波数２倍器７８は、クロックまたは他の同期信号１２の周波数を２倍にして、クロック信号または他の同期信号の各エッジを精密に明示する。排他的ＯＲゲート２４は、クロック信号及び包絡線信号の変調を実施する。フリップ・フロップ８０〜８６は、信号グリッチが変調回路２２から送り出される（例えば、復調器６２に対して）のを阻止するように、排他的ＯＲゲート２４に入力される信号の位相関係を設定する。すなわち、フリップ・フロップ８０、８２の出力は、同時に変化して、排他的ＯＲゲート２４の出力にグリッチを生じさせる可能性があるためである。しかし、フリップ・フロップ８４、８６によって、変調回路２２から信号経路１４に沿って復調回路６２の排他的ＯＲゲート６４に向かうグリッチの伝搬が阻止される。実施例によっては、包絡線信号２０も出力される。
【００２２】
本発明の望ましい実施例について例示し、解説したが、さまざまな代替案、修正案、及び、同等物を利用することも可能である。
【００２３】
以上、本発明の実施例について詳述したが、以下、本発明の各実施態様の例を示す。
【００２４】
[実施態様１]
宛先回路（１８）に分配するための第１の同期信号（１２）を発生する送信元回路（１６）を備えたデジタル・システムにおいて、同期信号に起因する、導電性信号経路に沿ったＥＭＩ放出を低減するための装置（１０）であって、
送信元回路（１６）において発生され、第１の周波数（ｆ1)と該第１の周波数の高調波（ｆ2、ｆ3)とを有する第１の信号周波数スペクトル（２６）を有する第１の同期信号（１２）と、
前記第１の周波数以下の一次周波数（ｆ4〜ｆ5)を有し、第１の帯域幅（ＢＷ45)を画定する、第１の包絡線周波数スペクトル（３４）を有する第１の包絡線信号（２０）と、
前記第１の同期信号と前記第１の包絡線信号とを受信し、前記第１の同期信号と前記第１の包絡線信号とに振幅変調を施して、前記第１の周波数と該第１の周波数の高調波とに関する両側波帯（４０、４２、４４、４６、４８、５０）を有する両側波帯抑圧搬送波信号（１４）を発生する、前記送信元回路内の変調回路（２２）と、
前記送信元回路から前記宛先回路に前記両側波帯抑圧搬送波信号を送る、前記デジタル・システム内の第１の導電性信号経路（１５）と、
前記第１の包絡線周波数スペクトルに等しく、第１の帯域幅を画定する、第２の包絡線周波数スペクトル（３４）を有する第２の包絡線信号（２０'）と、
前記第１の信号経路を介して前記両側波帯抑圧搬送波信号を受信し、前記第２の包絡線信号を受信し、該両側波帯抑圧搬送波信号を前記第２の包絡線信号で振幅復調して、前記宛先回路によって用いられる前記第１の同期信号（６０）を再生する、前記宛先回路（１８）内の復調回路（６２）と、
を備えて成り、第１の同期信号に起因する検出可能なＥＭＩ放出が、送信元回路から宛先回路に第１の同期信号（１２）を送らず、代わりに、検出可能なＥＭＩ放出を低減するのに十分な広さの第１の帯域幅にわたってエネルギが拡散された、両側波帯抑圧搬送波信号（１４）を送ることによって低減されることを特徴とする装置。
【００２５】
[実施態様２]
前記第１の包絡線スペクトル（３４）の一次周波数（ｆ4〜ｆ5)が、前記第１の周波数（ｆ1)の１／２を超える周波数を排除していることを特徴とする、実施態様１に記載の装置。
【００２６】
[実施態様３]
前記第１の包絡線周波数スペクトル（３４）が、最低一次周波数（ｆ4)と最高一次周波数（ｆ5)とを有していることと、前記第１の包絡線周波数スペクトルの帯域幅が、前記最高一次周波数から前記最低一次周波数を引いたものであることと、前記最高一次周波数が６０ＫＨｚを超えることを特徴とする、実施態様１に記載の装置。
【００２７】
[実施態様４]
前記送信元回路と前記宛先回路とに電気的に結合する第２の信号経路をさらに備えて成り、前記第１の包絡線信号（２０）が、前記第２の信号経路を介して前記送信元回路から前記宛先回路に送られることと、前記第２の包絡線信号（２０'）が受信された第１の包絡線信号であることを特徴とする、実施態様１に記載の装置。
【００２８】
[実施態様５]
前記第１の包絡線信号を発生する、前記送信元回路における第１の包絡線信号発生器（７０）と、前記第２の包絡線信号を発生する、前記宛先回路における第２の包絡線信号発生器（７０）とをさらに備えて成る、実施態様１に記載の装置。
【００２９】
[実施態様６]
前記第１の包絡線信号発生器が、前記第１の包絡線信号が導き出される定義済みのキー（７２）を受信することと、前記第２の包絡線信号発生器が、前記第２の包絡線信号が導き出される定義済みのキー（７２）を受信することを特徴とする、実施態様５に記載の装置。
【００３０】
[実施態様７]
デジタル・システムにおいてＥＭＩ放出を低減するための方法であって、
送信元（１６）において、第１の周波数（ｆ1)と該第１の周波数の高調波（ｆ2、ｆ3)とを有する第１の信号周波数スペクトル（２６）を備えた第１の同期信号（１２）を、前記第１の周波数以下の周波数を有し、第１の帯域幅（ＢＷ45)を画定する第１の包絡線周波数スペクトル（３４）を備えた第１の包絡線信号（２０）によって振幅変調して、両側波帯抑圧搬送波信号（１４）を得るステップと、
第１のチップ外信号経路（１５）を介して、前記送信元から宛先に前記両側波帯抑圧搬送波信号を送るステップと、
宛先において、前記第１の包絡線周波数スペクトルに等しく、前記第１の帯域幅を画定する第２の包絡線周波数スペクトルを有する第２の包絡線信号（２０'）を用いて、前記両側波帯抑圧搬送波信号を振幅復調し、前記第１の同期信号（６０）を再生するステップと、
を備えて成り、前記第１の同期信号に起因する検出可能なＥＭＩ放出が、前記送信元から前記宛先に前記第１の同期信号（１２）を送らず、代わりに、検出可能なＥＭＩ放出を低減するのに十分な広さの第１の帯域幅にわたってエネルギが拡散された、前記両側波帯抑圧搬送波信号（１４）を送ることによって低減されることを特徴とする方法。
【００３１】
[実施態様８]
前記第１の包絡線スペクトル（３４）の一次周波数が、該第１の周波数（ｆ1)の１／２を超える周波数を排除していることを特徴とする、実施態様７に記載の方法。
【００３２】
[実施態様９]
第２の経路を介して前記送信元（１６）から前記宛先（１８）に前記第１の包絡線信号を送るステップをさらに備えて成り、前記第２の包絡線信号（２０'）が、受信された第１の包絡線信号（２０）であることを特徴とする、実施態様７に記載の方法。
【００３３】
[実施態様１０]
送信元（１６）において、第１の包絡線信号発生器（７０）に入力される第１の定義済みのキー（７２）から前記第１の包絡線信号（２０）を発生するステップと、
宛先（１８）において、第２の包絡線信号発生器（７０）に入力される第２の定義済みのキー（７２）から前記第２の包絡線信号（２０'）を発生するステップと、
をさらに備えて成り、前記第１の定義済みのキーが前記第２の定義済みのキーに等しいことを特徴とする、実施態様７に記載の方法。
【００３４】
【発明の効果】
以上説明したように、本発明を用いることにより、コンピュータその他の電子装置から放出されるＥＭＩを低減することができる。
【図面の簡単な説明】
【図１】本発明の実施例による抑圧搬送波を介してクロック信号を分配するための装置のブロック図である。
【図２】図１のクロックまたは他の同期信号の実施例に関する周波数スペクトルを示す図である。
【図３】図１の包絡線信号の実施例に関する周波数スペクトルを示す図である。
【図４】本発明の実施例による図１の被変調信号を示す図である。
【図５】本発明のもう１つの実施例による抑圧搬送波を介してクロック信号を分配するための装置のブロック図である。
【図６】本発明のさらにもう１つの実施例による抑圧搬送波を介してクロック信号を分配するための装置のブロック図である。
【図７】変調回路の実施例のブロック図である。
【符号の説明】
１５：信号経路
１６：送信元回路
１７：演算回路
１８：宛先回路
２２：変調回路
２４：排他的ＯＲゲート
６２：復調回路
６４：排他的ＯＲゲート
７０：包絡線信号発生器
７８：周波数２倍器
８０：Ｄフリップ・フロップ
８２：Ｄフリップ・フロップ
８４：Ｄフリップ・フロップ
８６：Ｄフリップ・フロップ
８８：インバータ
【図１】
0004027466.tif 000002
【図２】
0004027466.tif 000003
【図３】
0004027466.tif 000004
【図４】
0004027466.tif 000005
【図５】
0004027466.tif 000006
【図６】
0004027466.tif 000007
【図７】
0004027466.tif 000008